(57)【要約】【課題】本発明は、極めて商品価値の高い画期的な切断装置を提供することを目的とする。【解決手段】機台部１に相対回動する若しくは固定部３に対して回動する回動部２を設け、この双方の回動部２若しくは回動部２と固定部３とに棒状の被切断物４を架設状態に係合する係合部２ａ，３ａを連設状態に設け、この少なくとも一方の回動部２に作用腕となる腕部５を突設し、この腕部５に前記機台部１に設けた油圧ジャッキ装置６の進退突出部７を連結し、前記油圧ジャッキ装置６の作動操作によって進退突出部７を作動させ少なくとも前記一方の回動部２を回動させることで前記被切断物４を切断するように構成したものである。【選択図】　　　　図１
2004001187.tif 000002
【特許請求の範囲】
【請求項１】
機台部に相対回動する若しくは固定部に対して回動する回動部を設け、この双方の回動部若しくは回動部と固定部とに棒状の被切断物を架設状態に係合する係合部を連設状態に設け、この少なくとも一方の回動部に作用腕となる腕部を突設し、この腕部に前記機台部に設けた油圧ジャッキ装置の進退突出部を連結し、前記油圧ジャッキ装置の作動操作によって進退突出部を作動させ少なくとも前記一方の回動部を回動させることで前記被切断物を切断するように構成したことを特徴とする切断装置。
【請求項２】
前記油圧ジャッキ装置を機台部に枢着して設けたことを特徴とする請求項１記載の切断装置。
【請求項３】
前記油圧ジャッキ装置の作動操作によって進退突出部を作動させた際、前記双方の回動部を互いに異なる方向に相対回動するように設けて前記被切断物を切断するように構成したことを特徴とする請求項１，２のいずれか１項に記載の切断装置。
【請求項４】
前記双方の回動部と前記油圧ジャッキ装置との間に回動支点部を設け、この回動支点部に回動腕部を回動自在に軸着し、この回動腕部の一端部を前記油圧ジャッキ装置の進退突出部に連結して、この進退突出部の進退突出によって前記回動腕部が回動するように構成し、この回動腕部の回動により、前記一方の回動部に設けた腕部が回動するとともに、前記他方の回動部に設けた腕部が逆方向に回動するように構成したことを特徴とする請求項１〜３のいずれか１項に記載の切断装置。
【請求項５】
前記双方の回動部同志間若しくは回動部と固定部との間に前記回動部の回動範囲を規制する回動規制機構を設け、回動部を回動させて被切断物を切断すると略同時に回動部の回動を阻止し得るように前記回動規制機構を構成したことを特徴とする請求項１〜４のいずれか１項に記載の切断装置。
【請求項６】
前記油圧ジャッキ装置に設けた握持操作部を往復擺動操作することによって進退突出部を作動し得るように構成したことを特徴とする請求項１〜５のいずれか１項に記載の切断装置。
【請求項７】
前記油圧ジャッキ装置を機台部に傾倒状態に設けたことを特徴とする請求項１〜６のいずれか１項に記載の切断装置。
【請求項８】
前記油圧ジャッキ装置を機台部に横設状態に設けたことを特徴とする請求項１〜６のいずれか１項に記載の切断装置。
【発明の詳細な説明】
【０００１】
【発明の属する技術分野】
本発明は、鉄筋などの棒状の被切断物を切断するための切断装置に関するものである。
【０００２】
【従来の技術及び発明が解決しようとする課題】
従来から、建築現場や工事現場などの現場に持ち込んで使用できるもので、鉄筋などの棒状の被切断物を切断するためのポータブルタイプの切断装置（以下、従来例という。）が提案されている。
【０００３】
この従来例は、機台部に固定部に対して回動する回動部を設け、この回動部と固定部とに棒状の被切断物を架設状態に係合する係合部を連設状態に設けるとともに、この回動部に握持操作部としての柄を突設した構造であり、この柄を押し下げて回動部を回動させることにより、回動部の係合部を固定部の係合部に対して位置ずれさせることで被切断物を切断するように構成したものである。
【０００４】
ところで、従来例は、現場に持ち込んで使用できるというメリットがあるものの、その構造上、硬質の鉄筋を切断するには強い力が必要である為、実際にはその取り扱いが非常に厄介であり、しかも、径の太い被切断物だと切断できず、結局は工場などで被切断物を切断して現場に運ばなければならない場合がある。
【０００５】
仮に径の太い被切断物を切断できるようにしようとすれば（切断部における強い切断力を得るためには）柄を長くすることになるが、柄を長くしてしまうと装置全体が大型化してしまい、現場に持ち込んで使用できるという本来のメリットが失われてしまう。
【０００６】
以上の理由から、従来例は切断できる被切断物の径に限界がある。
【０００７】
本出願人は、この切断装置に着目し、油圧ジャッキ装置の力を利用して回動部を回動させる構成とすることで、棒状の被切断物の径に関係なく楽に切断することができ、しかも、装置自体が大型化せずより一層コンパクト化が達成されて携帯性に秀れるなど極めて商品価値の高い画期的な切断装置を開発した。
【０００８】
【課題を解決するための手段】
添付図面を参照して本発明の要旨を説明する。
【０００９】
機台部１に相対回動する若しくは固定部３に対して回動する回動部２を設け、この双方の回動部２若しくは回動部２と固定部３とに棒状の被切断物４を架設状態に係合する係合部２ａ，３ａを連設状態に設け、この少なくとも一方の回動部２に作用腕となる腕部５を突設し、この腕部５に前記機台部１に設けた油圧ジャッキ装置６の進退突出部７を連結し、前記油圧ジャッキ装置６の作動操作によって進退突出部７を作動させ少なくとも前記一方の回動部２を回動させることで前記被切断物４を切断するように構成したことを特徴とする切断装置に係るものである。
【００１０】
また、前記油圧ジャッキ装置６を機台部１に枢着して設けたことを特徴とする請求項１記載の切断装置に係るものである。
【００１１】
また、前記油圧ジャッキ装置６の作動操作によって進退突出部７を作動させた際、前記双方の回動部２を互いに異なる方向に相対回動するように設けて前記被切断物４を切断するように構成したことを特徴とする請求項１，２のいずれか１項に記載の切断装置に係るものである。
【００１２】
また、前記双方の回動部２と前記油圧ジャッキ装置６との間に回動支点部１８を設け、この回動支点部１８に回動腕部１６を回動自在に軸着し、この回動腕部１６の一端部を前記油圧ジャッキ装置６の進退突出部７に連結して、この進退突出部７の進退突出によって前記回動腕部１６が回動するように構成し、この回動腕部１６の回動により、前記一方の回動部２に設けた腕部５が回動するとともに、前記他方の回動部２に設けた腕部５’が逆方向に回動するように構成したことを特徴とする請求項１〜３のいずれか１項に記載の切断装置に係るものである。
【００１３】
また、前記双方の回動部２同志間若しくは回動部２と固定部３との間に前記回動部２の回動範囲を規制する回動規制機構２０を設け、回動部２を回動させて被切断物４を切断すると略同時に回動部２の回動を阻止し得るように前記回動規制機構２０を構成したことを特徴とする請求項１〜４のいずれか１項に記載の切断装置に係るものである。
【００１４】
また、前記油圧ジャッキ装置６に設けた握持操作部８を往復擺動操作することによって進退突出部７を作動し得るように構成したことを特徴とする請求項１〜５のいずれか１項に記載の切断装置に係るものである。
【００１５】
また、前記油圧ジャッキ装置６を機台部１に傾倒状態に設けたことを特徴とする請求項１〜６のいずれか１項に記載の切断装置に係るものである。
【００１６】
また、前記油圧ジャッキ装置６を機台部１に横設状態に設けたことを特徴とする請求項１〜６のいずれか１項に記載の切断装置に係るものである。
【００１７】
【発明の実施の形態】
好適と考える本発明の実施の形態（発明をどのように実施するか）を、図面に基づいてその作用効果を示して簡単に説明する。
【００１８】
棒状の被切断物４の切断作業に際し、機台部１に設けた双方の回動部２若しくは回動部２と固定部３とに設けた係合部２ａ，３ａに棒状の被切断物４を架設状態とし、この状態で油圧ジャッキ装置６の作動操作によって進退突出部７を進退させ、少なくとも一方の回動部２を回動させると、係合部２ａ，３ａ同志の位置がずれることで被切断物４は切断される。
【００１９】
従って、被切断物４を切断する回動部２の回動が油圧ジャッキ装置６を介して行われるため、前述した従来例における手の押し下げ力により切断する場合に比し、単なるポンプ操作を行うだけで非常に強い切断力が得られることになるから、従来例では切断できなかったような径の太い被切断物４であっても軽い力で楽に切断することができることになり、しかも、この油圧ジャッキ装置６を作動操作させるだけで良い構造であるから、従来例のように大きな操作部（長い柄）は不要であり装置全体のコンパクト化が容易に達成され、極めて携帯性に秀れ、且つ、狭い作業スペースでの切断作業が良好に行えるから、特に現場へ持ち込む切断装置として最適となる。
【００２０】
また、例えば油圧ジャッキ装置６を機台部１に枢着して設けた場合には、進退突出部７を上昇させることで腕部５を介して回動部２を回動せしめるに際し、この回動部２の回動に順応して油圧ジャッキ装置６が傾動することで円滑な回動部２の回動が達成されることになる。
【００２１】
また、例えば棒状の被切断物４を架設する双方の部分を回動部２とし、この双方の回動部２を互いに異なる方向に相対回動自在となるように設けた場合には、例えば固定部に対して回動部を回動する構造の場合に比し、所定の操作を行った際の相対回動量が多くなる、即ち、被切断物４を切断する仕事量が多くなるから、被切断物４を迅速に切断することができることになり、しかも、それだけ強い（倍力の）切断力が生じることにもなり、よって、より一層被切断物の切断作業が簡易且つ迅速に行えることになる。
【００２２】
また、例えば双方の回動部２同志間若しくは回動部２と固定部３との間に前記回動部２の回動範囲を規制する回動規制機構２０を設け、回動部２を回動させて被切断物４を切断すると略同時に回動部２の回動を阻止し得るように前記回動規制機構２０を構成した場合には、油圧ジャッキ装置６にて回動部２を回動せしめて被切断物４を切断した際、そのまま回動部２に勢いがついて必要以上に回動してしまうのを阻止するための構成であり、油圧ジャッキ装置６を具備せしめたことにより生じ得る危険を確実に回避することができる。
【００２３】
また、前記油圧ジャッキ装置６に設けた握持操作部８を往復擺動操作することによって進退突出部７を作動し得るように構成した場合には、簡易に且つ軽い力で進退突出部７を作動させて棒状の被切断物４を確実に切断し得ることになる。
【００２４】
また、前記油圧ジャッキ装置６を機台部１に傾倒状態に設けた場合には、装置自体の高さが低くなる分コンパクトになるのは勿論、強い切断力と迅速な切断作業が行われる最適な状態が得られることになる。
【００２５】
また、前記油圧ジャッキ装置６を機台部１に横設状態に設けた場合には、装置自体の高さが低くなり、コンパクト化が確実に達成されることになる。
【００２６】
【実施例】
図１〜６は本発明の第一実施例、図７〜９は第二実施例、図１０〜１２は第三実施例、図１３〜１６は第四実施例であり、以下に説明する。
【００２７】
符号４は鉄筋や丸棒などの棒状の被切断物である。
【００２８】
第一実施例について説明する。
【００２９】
第一実施例は、機台部１に相対回動する一対の回動部２，２’を設け、この双方の回動部２，２’に棒状の被切断物４を架設状態に係合する係合部２ａ，２ａ’を連設状態に設け、この双方の回動部２，２’を油圧ジャッキ装置６の作動操作によって回動させることで前記被切断物４を切断するように構成したものである。
【００３０】
具体的には、図１に図示したように双方の回動部２，２’は、機台部１の一端部に立設された一対の支持部１ａの上部間に円盤状部材を設けて構成されており、この双方の回動部２，２’は回動自在に軸支されている。
【００３１】
また、この双方の回動部２，２’は、夫々その外周部位の前後二箇所に凹部２ａ，２ａ’が形成されており、この各凹部２ａ，２ａ’同志は連設状態となり、被切断物４を架設状態に配設し得る係合部２ａ，２ａ’として構成されている。
【００３２】
尚、この各回動部２，２’の前後二箇所に設けた係合部２ａ，２ａ’同志の開口巾は、夫々異なるように形成されており、これは径の異なる被切断物４を架設状態に係合できるようにするための構成である。
【００３３】
また、本実施例は、双方の回動部２，２’同志間に該回動部２，２’の回動範囲を規制する回動規制機構２０を設け、回動部２，２’を回動させて被切断物４を完全に切断しきると略同時に回動部２，２’同志の回動を阻止し得るように構成している。
【００３４】
具体的には、一方の回動部２の外周部位には切欠部２ｂが形成されており、この切欠部２ｂに他方の回動部２’の側面部位に突出形成される突起９が配設され、回動部２同志の相対回動範囲を規制し得る回動規制機構２０として構成されている。これは、油圧ジャッキ装置６にて回動部２，２’同志を相対回動せしめて被切断物４を完全に切断した際、そのまま回動部２，２’に勢いがついて必要以上に回動してしまうのを阻止するための構成である。
【００３５】
また、双方の回動部２，２’は、後述する油圧ジャッキ装置６の作動により互いに逆方向に相対回動するように構成されている。
【００３６】
具体的には、双方の回動部２，２’と油圧ジャッキ装置６との間に回動支点部１８を設け、この回動支点部１８に回動腕部１６を回動自在に軸着し、この回動腕部１６の一端部を油圧ジャッキ装置６の進退突出部７に連結して、この進退突出部７の進退突出によって回動腕部１６が回動するように構成し、この回動腕部１６の回動により、一方の回動部２に設けた腕部５が回動するとともに、前記他方の回動部２’に設けた腕部５’が逆方向に回動するように構成されている。
【００３７】
更に具体的に説明すると、油圧ジャッキ装置６の進退突出部７には、機台部１の中央部に立設された支持部１ｂの上部間で枢着された回動腕部１６の基端部が枢着されており、当該進退突出部７の進退動作により回動腕部１６は支持部１ｂとの回動支点部１８を支点に回動自在となる。
【００３８】
また、双方の回動部２，２’は、夫々作用腕となる腕部５，５’が設けられており、一方の回動部２の腕部５は、その先端部下面が回動腕部１６の上面にして回動支点部１８よりも基端部位に載置連設され、他方の回動部２’の腕部５’は、その先端部上面に回動腕部１６の下面にして回動支点部１８よりも先端部位が載置するように構成されている。
【００３９】
この油圧ジャッキ装置６の進退突出部７に連結される回動腕部１６と各腕部５，５’とは所定形状に形成されており、即ち、進退突出部７を上昇させることで回動支点部１８を支点にして回動腕部１６の基端部側を上昇させ且つ先端部を降下させた際には、該回動腕部１６の基端部側上面に載置される腕部５を有する一方の回動部２は機台部１の先端側方向（図６中矢印ａ方向）に回動し、一方、回動腕部１６の先端部に当接する腕部５’を有する他方の回動部２’は機台部１の後端側方向にして当該一方の回動部２と逆方向（図６中矢印ｂ方向）へ回動することになる。符号１９は腕部５’を押し上げ付勢する付勢体である。
【００４０】
本実施例に係る油圧ジャッキ装置６は公知構造のものであり、握持操作部８の往復擺動操作（昇降操作）を繰り返すことにより進退突出部７が上昇するように構成されている。
【００４１】
この油圧ジャッキ装置６の構造について簡単に説明すると、図４に図示したように進退突出部７が昇降スライド自在に嵌挿され、内部に油が充填されるタンク部１０と、このタンク部１０内の油を循環せしめる循環構造（第一循環路１１ａ，第二循環路１１ｂ，第三循環路１１ｃ）を有して、各所に弁構造（第一弁１２ａ，第二弁１２ｂ）を設けた油循環部１１と、この油循環部１１に連設され、油を押圧して循環せしめる作動部１３とをジャッキ本体に設けて構成されており、この作動部１３は、ジャッキ本体に擺動自在に連結される握持操作部８としての柄の下端部に油を押圧する押圧体１４が設けられた構造である。
【００４２】
前述した構造を具備した油圧ジャッキ装置６は、作動部１３に係る握持操作部８を下方へ押込み擺動操作（降下操作）せしめると、押圧体１４が油を押圧することで第一弁１２ａが開いて第一循環路１１ａからタンク部１０内に油が流れ込み、このタンク部１０に油が流れ込むことにより進退突出部７が所定の距離だけ上昇する。
【００４３】
続いて、握持操作部８を上方へ引き上げ擺動操作（上昇操作）せしめると、第二循環路１１ｂ及び第三循環路１１ｃにある油が第二弁１２ｂを開いて作動部１３内に流れ込むことになる。
【００４４】
従って、この握持操作部８の往復擺動操作（昇降操作）を繰り返すことにより進退突出部７は徐々に上昇することになる。その後、第一循環路１２ａと第二循環路１２ｂとの間に設けたバルブ１５を開放すると第一循環路１２ａと第二循環路１２ｂとは連通状態となり進退突出部７は降下することになる。
【００４５】
また、油圧ジャッキ装置６は、機台部１に傾動自在となるように枢着されており、これは、進退突出部７を上昇させることで腕部５，５’を介して双方の回動部２，２’を回動せしめた際、この回動部２，２’の回動（回動腕部１６の擺動）に順応するための構成である。
【００４６】
以上の構成からなる切断装置を使用した棒状の被切断物４の切断方法について説明する。
【００４７】
まず、双方の回動部２，２’の係合部２ａ，２ａ’に被切断物４を架設状態とする（図５参照）。
【００４８】
続いて、握持操作部８の往復擺動操作（ポンプ操作）を繰り返すことにより進退突出部７を徐々に上昇させると、双方の回動部２，２’同志は逆方向に相対回動することになり、係合部２ａ，２ａ’同志の位置がずれることで被切断物４は切断される（図６参照）。
【００４９】
よって、本実施例によれば、被切断物４を切断する双方の回動部２，２’の回動が油圧ジャッキ装置６を介して行われるため、前述した従来例における手の押し下げ力により切断する場合に比し、単なるポンプ操作を行うだけで非常に強い切断力が得られることになるから、従来例では切断できなかったような径の太い被切断物４であっても軽い力で楽に切断することができることになり、しかも、この油圧ジャッキ装置６を作動操作させるだけで良い構造であるから、従来例のように大きな操作部（長い柄）は不要であり装置全体のコンパクト化が容易に達成され、極めて携帯性に秀れ、且つ、狭い作業スペースでの切断作業が良好に行えるから、特に現場へ持ち込む切断装置として最適となる。
【００５０】
また、本実施例は、油圧ジャッキ装置６を機台部１に枢着して設けたから、進退突出部７を上昇させることで腕部５，５’を介して回動部２，２’を回動せしめるに際し、この回動部２，２’の回動に順応して油圧ジャッキ装置６が傾動することで円滑な回動部２，２’の回動が達成されることになる。
【００５１】
また、本実施例は、棒状の被切断物４を架設する双方の部分を回動部２とし、この双方の回動部２を互いに異なる方向に相対回動自在となるように設けたから、例えば固定部に対して回動部を回動する構造の場合に比し、所定の操作を行った際の相対回動量が多くなる、即ち、被切断物４を切断する仕事量が多くなるから、被切断物４を迅速に切断することができることになり、しかも、それだけ強い（倍力の）切断力が生じることにもなり、よって、より一層被切断物の切断作業が簡易且つ迅速に行えることになる。
【００５２】
また、本実施例は、例えば双方の回動部２，２’同志間に該回動部２，２’の回動範囲を規制する回動規制機構２０を設け、回動部２，２’を回動させて被切断物４を切断すると略同時に回動部２，２’の回動を阻止し得るように前記回動規制機構２０を構成したから、油圧ジャッキ装置６にて回動部２，２’を回動せしめて被切断物４を切断した際、そのまま回動部２，２’に勢いがついて必要以上に回動してしまうのを阻止するための構成であり、油圧ジャッキ装置６を具備せしめたことにより生じ得る危険を確実に回避することができる。
【００５３】
また、本実施例は、油圧ジャッキ装置６に設けた握持操作部８を往復擺動操作することによって進退突出部７を作動し得るように構成した場合には、簡易に且つ軽い力で進退突出部７を作動させて棒状の被切断物４を確実に切断し得ることになる。
【００５４】
次に、第二実施例について説明する。
【００５５】
第二実施例は、機台部１に固定部３に対して回動する回動部２を設け、この回動部２と固定部３とに被切断物４を架設状態に係合する係合部２ａ，３ａを連設状態に設け、この回動部２を油圧ジャッキ装置６の作動操作によって回動させることで前記被切断物４を切断するように構成したものである。
【００５６】
具体的には、図７に図示したように回動部２及び固定部３は、機台部１の一端部に立設された一対の支持部１ａの上部間に円盤状部材を設けて構成されており、回動部２は回動自在に軸支され、一方、固定部３は回動不能状態に設けられている。
【００５７】
また、回動部２及び固定部３は、夫々その外周部位の前後二箇所に凹部２ａ，３ａが形成されており、この夫々隣接する各凹部２ａ，３ａ同志は連設状態となり、被切断物４を架設状態に配設し得る係合部２ａ，３ａとして構成されている。尚、この回動部２の前後二箇所に設けた係合部２ａ同志の開口巾及び固定部３の前後二箇所に設けた係合部３ａ同志の開口巾は、夫々異なるように形成されており、これは径の異なる被切断物４を架設状態に係合できるようにするための構成である。
【００５８】
また、固定部３の外周部位には切欠部３ｂが形成されており、この切欠部３ｂに回動部２の側面部位に突出形成される突起９が配設され、回動部２の回動範囲を規制し得る回動規制機構２０として構成されている。これは、油圧ジャッキ装置６にて回動部２を回動せしめて被切断物４を切断した際、そのまま回動部２に勢いがついて必要以上に回動してしまうのを阻止するための構成である。
【００５９】
また、回動部２には作用腕となる腕部５が突設されており、この腕部５の先端部を昇降することで回動部２が回動するように構成されている。
【００６０】
また、この腕部５には前述した構造の油圧ジャッキ装置６の進退突出部７が枢着連結されている。
【００６１】
よって、本実施例によれば、棒状の被切断物４の切断作業に際し、機台部１に設けた回動部２と固定部３とに設けた係合部２ａ，３ａに棒状の被切断物４を架設状態とし、この状態で油圧ジャッキ装置６の作動操作によって進退突出部７を進退させ、回動部２を回動させると、係合部２ａ，３ａ同志の位置がずれることで被切断物４は切断されることになる。
【００６２】
その余は第一実施例と同様である。
【００６３】
次に、第三実施例について説明する。
【００６４】
第三実施例は、前述した第二実施例と同様、機台部１に固定部３に対して回動する回動部２を設け、この回動部２と固定部３とに被切断物４を架設状態に係合する係合部２ａ，３ａを連設状態に設け、この回動部２を油圧ジャッキ装置６の作動操作によって回動させることで前記被切断物４を切断するように構成したものである。
【００６５】
また、本実施例では、油圧ジャッキ装置６を約４５度傾けた傾斜状態（傾倒状態）に設けられている。
【００６６】
この構成から、装置自体の高さを低くしてコンパクト化を達成し、更に、強い切断力と迅速な切断作業が達成し得るように腕部５の長さを設定し得ることになる。
【００６７】
即ち、ある決まった力の油圧ジャッキ装置６を使用する際、切断部位に強い切断力を得る為には、腕部５の長さが長ければ長い程良いことになるが、あまり長すぎる場合には、回動部２を回動させる為の進退突出部７のストロークを長くする必要が生じてしまい、つまり、それだけ握持操作部８の往復擺動操作（ポンプ操作）を多く行わなければならず、よって、切断作業が遅くなってしまう。とは言え、握持操作部８の往復擺動操作の数を少なくすべく、腕部５の長さを短すぎるようにした場合には、油圧ジャッキ装置６にかかる負担が大きくなってしまう（力の強い高価な油圧ジャッキ装置６が必要となってしまう。）。
【００６８】
この点、本実施例は油圧ジャッキ装置６を約４５度傾けた傾斜状態（傾倒状態）とすることで、この強い切断力と迅速な切断作業を両立し得る最適な長さの腕部５が得られることになる。また、力の強い高価な油圧ジャッキ装置６は不要であるからコスト安にもなる。
【００６９】
また、回動部２に突設され、油圧ジャッキ装置６の進退突出部７に枢着連結される腕部５には戻り付勢機構が設けられており、この戻り付勢機構は、腕部５に一端部が連設される付勢体２１の他端部を機台部１（固定部３の基端部）に連設して構成され、被切断物４を切断した後（進退突出部７に対する油圧を下げた後）、腕部５を元の位置に戻るように（進退突出部７を後退させるように）付勢し得るように構成されている。
【００７０】
また、回動部２の外周部位には突起部２ｂが形成され、この突起部２ｂが係止する螺着棒体から成る係止部１７を固定部３の側面部位に突出しており、回動部２の回動範囲を規制し得る回動規制機構２０として構成されている。
【００７１】
また、回動部２の側面部位には螺着棒体から成る係止部２２が設けられ、この係止部２２が係止する被係止部３ｃを固定部３の外周部位に設けており、被切断物４を切断した後、回動部２を戻り回動させた際に、該回動部２を所定位置でその回動を阻止する回動阻止機構２３として構成されている。これは、回動部２が戻り過ぎるのを防止して回動部２の係合部２ａと固定部３の係合部３ａとが丁度合致した位置でその回動を阻止することができ、常に係合部２ａ，３ａに被切断物４を良好にセットできるようにするための構成である。
【００７２】
その余は第一実施例と同様である。
【００７３】
次に、第四実施例について説明する。
【００７４】
第四実施例は、前述した第二実施例及び第三実施例と同様、機台部１に固定部３に対して回動する回動部２を設け、この回動部２と固定部３とに被切断物４を架設状態に係合する係合部２ａ，３ａを連設状態に設け、この回動部２を油圧ジャッキ装置６の作動操作によって回動させることで前記被切断物４を切断するように構成したものである。
【００７５】
また、本実施例では、油圧ジャッキ装置６を水平状態に設けている。
【００７６】
具体的には、機台部１に対して添設状態となるように油圧ジャッキ装置６を横設させて枢着固定しており、回動部２に突設され、油圧ジャッキ装置６の進退突出部７に枢着連結される腕部５をリンク機構としており、進退突出部７の進退作動により回動部２を回動し得るように構成されている。
【００７７】
従って、この構成から、装置自体の高さを最も低い状態とすることができ、コンパクト化が確実に達成されることになる。
【００７８】
また、機台部１は、折り畳み自在に設けられており、前述した油圧ジャッキ装置６を水平状態にすることにも伴い、より一層装置自体のコンパクト化が達成されることになる（図１４参照）。
【００７９】
また、握持操作部８は、油圧ジャッキ装置６の作動部１３に連設される連設部２４に着脱自在に設けられており、この連設部２４から取り外した場合には、機台部１の側面部に添設状態で収納し得ることになり、この点においても装置自体のコンパクト化が達成されることになる（図１４参照）。
【００８０】
また、腕部５には戻り付勢機構（付勢体２１）が設けられており、被切断物４を切断した後、腕部５を元の位置に戻るように（進退突出部７を後退させるように）付勢し得るように構成されている。
【００８１】
符号２５は搬送用ハンドルである。
【００８２】
その余は第一実施例と同様である。
【００８３】
【発明の効果】
本発明は上述のように構成したから、楽に被切断物の切断作業が行われることになり、しかも、装置全体のコンパクト化が容易に達成されるなど極めて商品価値の高い画期的な切断装置となる。
【００８４】
また、請求項２記載の発明においては、円滑な回動部の回動が達成され、より一層被切断物の切断作業が良好に行われることになるなど極めて商品価値の高い画期的な切断装置となる。
【００８５】
また、請求項３，４記載の発明においては、被切断物を迅速に切断することができることになり、より一層被切断物の切断作業が簡易且つ迅速に行えることになるなど極めて商品価値の高い画期的な切断装置となる。
【００８６】
また、請求項５記載の発明においては、油圧ジャッキ装置を具備せしめたことにより生じ得る危険を確実に回避することができるなど極めて商品価値の高い画期的な切断装置となる。
【００８７】
また、請求項６記載の発明においては、より一層簡易に且つ軽い力で棒状の被切断物を切断し得ることになるなど極めて商品価値の高い画期的な切断装置となる。
【００８８】
また、請求項７記載の発明においては、装置自体の高さが低くなる分コンパクトになるのは勿論、強い切断力と迅速な切断作業が行われる最適な状態が得られることになるなど商品価値の高い画期的な切断装置となる。
【００８９】
また、請求項８記載の発明においては、装置自体の高さが低くなり、コンパクト化が確実に達成されることになるなど極めて商品価値の高い画期的な切断装置となる。
【図面の簡単な説明】
【図１】第一実施例の使用状態説明図である。
【図２】第一実施例に係る要部の説明図である。
【図３】第一実施例に係る要部の説明図である。
【図４】油圧ジャッキ装置の説明断面図である。
【図５】第一実施例の概略動作説明図である。
【図６】第一実施例の概略動作説明図である。
【図７】第二実施例の使用状態説明図である。
【図８】第二実施例の概略動作説明図である。
【図９】第二実施例の概略動作説明図である。
【図１０】第三実施例の概略動作説明図である。
【図１１】第三実施例に係る要部の概略動作説明図である。
【図１２】第三実施例に係る要部の概略動作説明図である。
【図１３】第四実施例を示す側面図である。
【図１４】第四実施例の略動作説明平面図である。
【図１５】第四実施例に係る要部の説明断面図である。
【図１６】第四実施例に係る要部の概略動作説明断面図である。
【符号の説明】
１　機台部
２　回動部
２ａ　係合部
３　固定部
３ａ　係合部
４　被切断物
５　腕部
５’　腕部
６　油圧ジャッキ装置
７　進退突出部
８　握持操作部
１６　回動腕部
１８　回動支点部
２０　回動規制機構
【図１】
2004001187.tif 000003
【図２】
2004001187.tif 000004
【図３】
2004001187.tif 000005
【図４】
2004001187.tif 000006
【図５】
2004001187.tif 000007
【図６】
2004001187.tif 000008
【図７】
2004001187.tif 000009
【図８】
2004001187.tif 000010
【図９】
2004001187.tif 000011
【図１０】
2004001187.tif 000012
【図１１】
2004001187.tif 000013
【図１２】
2004001187.tif 000014
【図１３】
2004001187.tif 000015
【図１４】
2004001187.tif 000016
【図１５】
2004001187.tif 000017
【図１６】
2004001187.tif 000018